(57)【要約】【課題】外装板の凹入を許容すると共に外装ケースの強度低下を抑えることができるフレーム部材を備えた貯湯給湯装置を提供すること。【解決手段】複数の支柱と複数の桟を組み合わせて構成されたフレーム部材に複数の外装板を固定した外装ケースと、この外装ケース内に貯湯タンクと補機類と配管類を備えた貯湯給湯装置において、少なくとも１つの外装板は外装ケース内方に突出する凸部を備え、複数の支柱又は桟は、外装板の凸部に対応する部位において外装ケース内方に凹入させた凹部を備えている。【選択図】図１
2020101348.tif 000002
【特許請求の範囲】
【請求項１】
複数の支柱と複数の桟を組み合わせて構成されたフレーム部材に複数の外装板を固定した外装ケースと、前記外装ケース内に貯湯タンクと、補機類と、配管類を備えた貯湯給湯装置において、
少なくとも１つの前記外装板は前記外装ケース内方に突出する凸部を備え、
複数の前記支柱又は前記桟は、前記凸部に対応する部位において前記外装ケース内方に凹入させた凹部を備えたことを特徴とする貯湯給湯装置。
【請求項２】
前記支柱又は前記桟は、前記凸部を備えた前記外装板が当接する主壁部と、前記主壁部の短手方向一端部にその長手方向にわたって前記外装ケース内方に向かって延びる側壁部を有し、
前記凹部は、前記主壁部と前記側壁部が形成する角部の前記凸部に対応する部位に前記長手方向に延びるスリットを有し、前記主壁部の前記スリットがある部分を前記外装ケース内方に凹入させたことを特徴とする請求項１に記載の貯湯給湯装置。
【請求項３】
前記支柱又は前記桟は、前記主壁部の短手方向他端部にもその長手方向にわたって前記外装ケース内方に向かって延びるもう１つの側壁部を有し、
前記凹部は、前記主壁部とその短手方向両端部の１対の前記側壁部が形成する１対の角部の前記凸部に対応する部位に前記長手方向に延びる１対のスリットを有し、前記主壁部の前記１対のスリットの間の部分を前記外装ケース内方に凹入させたことを特徴とする請求項２に記載の貯湯給湯装置。
【請求項４】
前記スリットは、台形状に形成されて前記長手方向に夫々平行な１対の底を有し、前記主壁部側の底が前記側壁部側の底よりも長いことを特徴とする請求項２又は３に記載の貯湯給湯装置。
【発明の詳細な説明】
【技術分野】
【０００１】
本発明は、熱源機と貯湯タンクを備えた貯湯給湯装置に関する。
【背景技術】
【０００２】
通常、屋外に設置されることが多い貯湯給湯装置は、外装ケースによって内部の機器類に雨水がかからないように保護されている。外装ケースは、例えば特許文献１のように、複数の支柱と複数の桟を組み合わせて構成された略直方体形状のフレーム部材の天面部及び４つの側面部に夫々平坦な外装板を固定して形成される。このような外装ケースは、フレーム部材に密着させた外装板をビス等で締結固定することによって、平坦な外装板の強度を補っている。
【０００３】
外装ケースは、外観デザインの要求や外装板の強度向上のために、外装板に凹凸を形成する場合がある。このとき、例えば特許文献１の外装ケースでは外装板の端部領域が外装板のフレーム部材に当接するので、この外装板がフレーム部材に当接する部分を外装ケース内方に突出させること、即ち外装板を凹入させることができない。外装板のフレーム部材に当接する部分も凹入させるためには、外装板の凹入させた部分を受け入れ可能なようにフレーム部材を切り欠く必要がある。
【先行技術文献】
【特許文献】
【０００４】
【特許文献１】特開２０１４−１８５８２１号公報
【発明の概要】
【発明が解決しようとする課題】
【０００５】
しかし、外装板のフレーム部材に当接する部分を凹入させない場合は外観デザインが制約される。一方、フレーム部材を切り欠いた場合はフレーム部材の強度が低下するので外装ケースの強度が低下する。フレーム部材を切り欠かずに外装板の凹入部分をフレーム部材に当接させると、フレーム部材と外装板の凹入部分以外の部分との間に隙間ができて外装板の強度を補うことができない。
【０００６】
本発明の目的は、外装板の凹入を許容すると共に外装ケースの強度低下を抑えることができるフレーム部材を備えた貯湯給湯装置を提供することである。
【課題を解決するための手段】
【０００７】
請求項１の発明の貯湯給湯装置は、複数の支柱と複数の桟を組み合わせて構成されたフレーム部材に複数の外装板を固定した外装ケースと、前記外装ケース内に貯湯タンクと、補機類と、配管類を備えた貯湯給湯装置において、少なくとも１つの前記外装板は前記外装ケース内方に突出する凸部を備え、複数の前記支柱又は前記桟は、前記凸部に対応する部位において前記外装ケース内方に凹入させた凹部を備えたことを特徴としている。
【０００８】
上記構成によれば、外装板の外装ケース内方に突出する凸部に対応するようにフレーム部材に外装ケース内方に凹入する凹部を備えたので、外装ケース内方に突出する外装板の凸部、即ち外装板の凹入を許容することができると共に、外装ケースの強度低下を抑えることができる。
【０００９】
請求項２の発明の貯湯給湯装置は、請求項１の発明において、前記支柱又は前記桟は、前記凸部を備えた前記外装板が当接する主壁部と、前記主壁部の短手方向一端部にその長手方向にわたって前記外装ケース内方に向かって延びる側壁部を有し、前記凹部は、前記主壁部と前記側壁部が形成する角部の前記凸部に対応する部位に前記長手方向に延びるスリットを有し、前記主壁部の前記スリットがある部分を前記外装ケース内方に凹入させたことを特徴としている。
【００１０】
上記構成によれば、フレーム部材を構成する支柱又は桟は、外装板が当接する主壁部と、その短手方向一端部から外装ケース内方に延びる側壁部を有する。フレーム部材の凹部は、主壁部と側壁部によって形成される角部の凸部に対応する部位にスリットを有し、主壁部のスリットがある部分を外装ケース内方に凹入させて形成されている。従って、凹部は支柱又は桟の長手方向に連なる主壁部及び側壁部で構成されて長手方向には分断されていないので、主壁部と側壁部により支柱又は桟の凹部における強度を確保して外装ケースの強度低下を抑えることができる。
【００１１】
請求項３の発明の貯湯給湯装置は、請求項２の発明において、前記支柱又は前記桟は、前記主壁部の短手方向他端部にもその長手方向にわたって前記外装ケース内方に向かって延びるもう１つの側壁部を有し、前記凹部は、前記主壁部とその短手方向両端部の１対の前記側壁部が形成する１対の角部の前記凸部に対応する部位に前記長手方向に延びる１対のスリットを有し、前記主壁部の前記１対のスリットの間の部分を前記外装ケース内方に凹入させたことを特徴としている。
【００１２】
上記構成によれば、フレーム部材を構成する支柱又は桟は、外装板が当接する主壁部と、その短手方向両端部から外装ケース内方に夫々延びる１対の側壁部を有する。フレーム部材の凹部は、主壁部と１対の側壁部によって形成される１対の角部の凸部に対応する部位に１対のスリットを有し、主壁部における１対のスリットの間の部分を外装ケース内方に凹入させて形成されている。従って、凹部は支柱又は桟の長手方向に連なる主壁部及び１対の側面部で構成されて長手方向には分断されていないので、主壁部と１対の側壁部により支柱又は桟の凹部における強度を確保して外装ケースの強度低下を抑えることができる。
【００１３】
請求項４の発明の貯湯給湯装置は、請求項２又は３の発明において、前記スリットは、台形状に形成されて前記長手方向に夫々平行な１対の底を有し、前記主壁部側の底が前記側壁部側の底よりも長いことを特徴としている。
【００１４】
上記構成によれば、凹入による屈曲を緩やかにした主壁部と側壁部により支柱又は桟の凹部における強度を確保して外装ケースの強度低下を抑えることができる。
【発明の効果】
【００１５】
本発明の貯湯給湯装置によれば、外装板の凹入を許容すると共に外装ケースの強度低下を抑えることができる。
【図面の簡単な説明】
【００１６】
【図１】本発明の実施例に係る貯湯給湯装置の要部を示す斜視図である。
【図２】図１の貯湯給湯装置の外装ケースの左側の支柱を貯湯給湯装置の左側から見た側面図である。
【図３】図２の支柱のIII−III線断面図である。
【図４】図２の支柱の凹部のIV−IV線断面図である。
【図５】図２の支柱の凹部を貯湯給湯装置の前側から見た図である。
【図６】図５の支柱の凹部を含む領域の展開図である。
【図７】凹部を備えた桟の例を示す斜視図である。
【発明を実施するための形態】
【００１７】
以下、本発明を実施するための形態について実施例に基づいて説明する。
【実施例】
【００１８】
最初に貯湯給湯装置１について説明する。
図１に示すように、貯湯給湯装置１は、湯水を貯留する貯湯タンク２と、燃焼式の補助熱源機３等の補機類と、給水通路や給湯通路等の図示外の配管類を外装ケース４に収容して構成されている。図中の矢印Ｆは貯湯給湯装置１の前方を示し、矢印Ｌは貯湯給湯装置１の左方を示し、矢印Ｕは貯湯給湯装置１の上方を示す。この貯湯給湯装置１の外装ケース４内の前側部分に補助熱源機３が配設され、後側部分に貯湯タンク２が配設され、例えば建物Ｂの外壁に貯湯給湯装置１の右側面部が近接するように設置されて、外装ケース４の内部には前面側及び左側面側からアクセス可能である。
【００１９】
次に外装ケース４について説明する。
外装ケース４は、複数の支柱と複数の桟を組み合わせて構成されたフレーム部材５と、フレーム部材５に密着させてビス等によって締結固定される複数の外装パネル部材（外装板）により構成されている。外装パネル部材として、外装ケース４の天面の天面パネル６と、前面上段の前上段パネル７ａと、前面下段の前下段パネル７ｂと、左面上段の左上段パネル８ａと、左面下段の左下段パネル８ｂと、後面の後パネル９と、右面上段の右上段パネル１０ａと、右面下段の右下段パネル１０ｂがフレーム部材５に固定される。
【００２０】
次に外装パネル部材について説明する。
外装パネル部材は、例えば変形や雨水の進入を防ぐために端部に屈曲加工等が夫々なされている。矩形状の天面パネル６は、その４つの端部が夫々下方に延びるように屈曲加工され、フレーム部材５に複数のビス等の締結部材によって固定される。前上段パネル７ａには、外装ケース４に収容される燃焼式の補助熱源機３の排気口に対応する排気用の開口部７ｃが設けられている。前下段パネル７ｂには、貯湯タンク２の湯水を図示外の外部の熱源機との間で循環させるための配管等を通す切欠き部７ｄが形成されている。
【００２１】
左上段パネル８ａと左下段パネル８ｂは、他の外装パネル部材と比べて大きくて変形し易く、人の目に触れる機会も多い。それ故、左上段パネル８ａと左下段パネル８ｂには、凹入させることにより外装ケース４の内方に突出させた複数の凸部２０が貯湯給湯装置１の前後方向の略全幅にわたって水平方向に延びるように形成され、外観デザインにおける特徴になっていると共に外装パネル部材の強度向上を図っている。
【００２２】
後パネル９には、貯湯給湯装置１を持ち上げるための把持部９ａが設けられている。右下段パネル１０ｂは、その幅が貯湯給湯装置１の前後方向幅より小さく形成されている。右下段パネル１０ｂで覆われない貯湯給湯装置１の右面下段の前側部分の開口部５ａには外装ケース４の外部に延びる図示外の配管等を通す。尚、右上段パネル１０ａと右下段パネル１０ｂにも、左上段パネル８ａと左下段パネル８ｂと同様の凸部が形成されてもよい。
【００２３】
貯湯給湯装置１の左側面部が建物の外壁に面するように設置されて貯湯給湯装置１の左面下段の前側部分から配管等を外部に出す場合であって、右上段パネル１０ａ及び右下段パネル１０ｂに凸部がない場合には、左上段パネル８ａと左下段パネル８ｂを右上段パネル１０ａと右下段パネル１０ｂとを夫々入れ替えて固定する。
【００２４】
前上段パネル７ａ、左上段パネル８ａ、後パネル９、右上段パネル１０ａは、それらの上端部が天面パネル６の下方に屈曲された端部とフレーム部材５の間に挿入されてフレーム部材５に固定される。また、フレーム部材５に固定された後パネル９の左側端部を覆うように左上段パネル８ａと左下段パネル８ｂが取り付けられてフレーム部材５に固定される。同様に後パネル９の右側端部を覆うように右上段パネル１０ａと右下段パネル１０ｂが取り付けられてフレーム部材５に固定される。そして、左上段パネル８ａの屈曲された前側端部と右上段パネル１０ａの屈曲された前側端部の間に前上段パネル７ａが取り付けられてフレーム部材５に固定される。このように外装パネル部材の端部を重ね合せたり、外装パネル部材間の隙間をフレーム部材５で遮ったりすることによって、外装ケース４内への雨水の進入を防いでいる。
【００２５】
次にフレーム部材５について説明する。
フレーム部材５は、貯湯給湯装置１の左側部分及び右側部分で前後方向に延びる桟として第１ベース部材１１及び第２ベース部材１２と、第１ベース部材１１の前端部及び中央部に夫々鉛直に立てて固定された第１支柱１３及び第２支柱１４と、第２ベース部材１２の前端部及び中央部に夫々鉛直に立てて固定された第３支柱１５及び第４支柱１６を有する。そして、第１支柱１３と第３支柱１５を上端部、中段部、下段部において連結する桟１７ａ〜１７ｃと、第１支柱１３と第２支柱１４を上端部と中段部において連結する桟１７ｄ，１７ｅと、第３支柱１５と第４支柱１６を上端部と中段部において連結する桟１７ｆ，１７ｇを有する。さらに、貯湯タンクを支持するプレート部材が第１ベース部材１１と第２ベース部材１２を連結している。
【００２６】
フレーム部材５を構成する第１〜第４支柱１３〜１６は、補助熱源機３や貯湯タンク２を支持したときに折れ曲がらない強度を備えている。第１支柱１３と第２支柱１４は同等であり、第３，第４支柱１５，１６は第１，第２支柱１３，１４と左右対称に形成されているので、第１支柱について説明して第２〜第４支柱１４〜１６の説明を省略する。
【００２７】
図２，図３に示すように、第１支柱１３は、左上段パネル８ａと左下段パネル８ｂが当接する第１主壁部１３ａを有する。第１主壁部１３ａの短手方向両端部には、その長手方向にわたって左上段パネル８ａ及び左下段パネル８ｂと反対側の外装ケース４の内方に向かって夫々延びる第１側壁部１３ｂと第２側壁部１３ｃ（１対の側壁部）を有する。
【００２８】
さらに第１支柱１３は、第１側壁部１３ｂの第１主壁部１３ａと反対側端部にその長手方向にわたって第２側壁部１３ｃと反対側に屈曲されて第１主壁部１３ａに略平行に延びる第２主壁部１３ｄを有する。この第２主壁部１３ｄの第１側壁部１３ｂと反対側端部には、その長手方向にわたって第１主壁部１３ａ側と反対側に屈曲されて第１，第２側壁部１３ｂ，１３ｃと略平行に延びる第３側壁部１３ｅを有する。また、第２側壁部１３ｃの第１主壁部１３ａと反対側端部に、その長手方向にわたって第１側壁部１３ｂと反対側に屈曲されて延びる壁部１３ｆを有する。第１，第２主壁部１３ａ，１３ｄの短手方向両端部に長手方向に延びる角部と、第２側壁部１３ｃと壁部１３ｆとで長手方向に延びる角部を形成したことによって、第１支柱１３を折れ曲がり難くしている。
【００２９】
図１，図２，図４〜図６に示すように、第１支柱１３は、左上段パネル８ａと左下段パネル８ｂが有する複数の凸部２０に対応する部位に、凸部２０を受け入れ可能なように外装ケース４の内方に凹入させた複数の凹部２１を有する。各凹部２１は、第１主壁部１３ａと第１，第２側壁部１３ｂ，１３ｃとで形成される１対の角部の凸部２０に対応する部位に、長手方向に延びる１対のスリット１３ｇ，１３ｈを有する。
【００３０】
第１支柱１３は、図６のような凸部２０に対応する部位に１対のスリット１３ｇ，１３ｈが形成された長尺板状部材を、第１主壁部１３ａの１対のスリット１３ｇ，１３ｈの間の部分を凹入させると共に柱状になるように屈曲させるプレス加工によって形成される。図中の１点鎖線及び破線は、夫々山状及び谷状に屈曲される折り曲げ線を示す。
【００３１】
１対のスリット１３ｇ，１３ｈは夫々台形状に形成されている。台形の平行な対辺を夫々底又は底辺と言い、他の平行でない対辺を夫々脚と言うが、スリット１３ｇの第１主壁部１３ａ側の底Ｓ１を第１側壁部１３ｂ側の底Ｓ２よりも長く、且つスリット１３ｈの第１主壁部１３ａ側の底Ｓ３を第２側壁部１３ｃ側の底Ｓ４よりも長くして等脚台形状にしている。
【００３２】
各凹部２１において、第１主壁部１３ａの短手方向両端の角部にスリットが形成されるので第１支柱１３の強度は低下するが、第１主壁部１３ａが長手方向に連なり分断されていないので、凹部２１に相当するように第１支柱１３を切り欠いた場合よりも第１支柱１３の強度低下が抑えられている。また、凹部が小さく少ない程第１支柱１３の強度は低下しないので、第１支柱１３の長手方向における複数の凹部２１が占める割合は小さい程好ましく、本実施例ではその割合が２５％未満である。第１支柱１３と同様に、第２〜第４支柱１４〜１６も第１主壁部１３ａに相当する主壁部（第１主壁部１４ａ等）と、第１，第２側壁部１３ｂ，１３ｃに相当する１対の側壁部（第１，第２側壁部１４ｂ，１４ｃ等）と、１対のスリットを有する複数の凹部２１を夫々備えている。
【００３３】
第１支柱１３は、貯湯給湯装置１の左側部分において第１、第２主壁部１３ａ，１３ｄが左方に面し、且つ第１、第３側壁部１３ｂ，１３ｅが貯湯給湯装置１の前側に、第２側壁部が後側になるように第１ベース部材１１に固定され、第２支柱１４も同様に固定されている。貯湯給湯装置１の右側部分も同様に、第３支柱１５と第４支柱１６の第１、第２主壁部が右方に面し、且つ第１、第３側壁部を貯湯給湯装置１の前側に、第２側壁部を後側にして第２ベース部材１２に固定されている。そして、これら第１〜第４支柱１３〜１６が桟１７ａ〜１７ｇ等によって連結されて、重量物である補助熱源機３や貯湯タンク２等を支える支持強度を備えたフレーム部材５が形成されている。
【００３４】
左上段パネル８ａと左下段パネル８ｂをフレーム部材５に固定すると、第１，第２支柱１３、１４の第１主壁部１３ａ，１４ａが外装パネル部材の凸部２０でない平坦な部分に当接し、各凹部２１には対応する凸部２０が受け入れられる。これにより外装パネル部材が凸部２０を備えていても、フレーム部材５が外装パネル部材の平坦な部分に当接するので、外装パネル部材の強度を補うことができる。凹部２１が凸部２０に丁度よく嵌まるように形成されていれば、凹部２１による支柱の強度低下を補って外装ケース４の強度低下を一層抑えることができる。尚、寸法や材質等によっては第２側壁部１３ｃと壁部１３ｆがない支柱でも必要な強度を確保できるが、この場合は第１主壁部１３ａと第１側壁部１３ｂの角部に上記と同様の凸部２０に対応する台形状のスリットを有し、第１主壁部１３ａのスリットがある部分が凹入されて凹部２１が形成される。
【００３５】
図７は、主壁部２３ａと１対の側壁部２３ｂ，２３ｃを備えて凹部２１と同様の複数の凹部２４を備えた桟２３を示している。このような複数の凹部２４を備えた複数の桟と複数の支柱を有するフレーム部材に、外装ケース内方に突出した凸部を備えた外装パネル部材を固定して貯湯給湯装置の外装ケースを構成することもできる。さらに、複数の凹部２１を備えた複数の支柱と複数の凹部２４を備えた複数の桟を有するフレーム部材に、外装ケース内方に突出した凸部を備えた外装パネル部材を固定して貯湯給湯装置の外装ケースを構成することもできる。
【００３６】
桟においても主壁部とその短手方向一端部の側壁部で必要な強度を確保することができる場合には、主壁部と側壁部の角部に上記と同様の凸部に対応する台形状のスリットを有し、主壁部のスリットがある部分が凹入されて凹部が形成されてもよい。また、外装パネル部材の凸部が延びる方向は水平方向に限定されるものではなく、凸部は折れ線状や曲線状に延びていてもよく、凸部がアイランド状に形成されていてもよく、支柱、桟にはそれら凸部に対応する部位に凹部が形成される。
【００３７】
本発明の貯湯給湯装置１の作用、効果について説明する。
貯湯給湯装置１は、第１〜第４支柱１３〜１６と複数の桟として第１，第２ベース部材１１，１２及び複数の桟１７ａ〜１７ｇを組み合わせて構成されたフレーム部材５に、複数の外装パネル部材を固定して形成された外装ケース４を備えている。この外装ケース４に貯湯タンク２と、補助熱源機３等の補機類と配管類等を収容している。
【００３８】
外装パネル部材のうちの左上段パネル８ａと左下段パネル８ｂは外装ケース４の内方に突出する複数の凸部２０を備え、これらが固定される第１，第２支柱１３、１４は、各凸部２０に対応する部位において凸部２０を受け入れ可能なように外装ケース４の内方に凹入させた凹部２１を夫々備えている。従って、外装ケース４の内方に突出する凸部２０、即ち外装パネル部材の凹入を許容することができると共に、外装ケース４の強度低下を抑えることができる。
【００３９】
第１支柱１３は、凸部２０を備えた外装パネル部材が当接する第１主壁部１３ａと、第１主壁部１３ａの短手方向一端部にその長手方向にわたって外装ケース４の内方に向かって延びる第１側壁部１３ｂを有する場合に、第１主壁部１３ａと第１側壁部１３ｂが形成する角部において凸部２０に対応する部位に長手方向に延びるスリット１３ｇを有する。このとき凹部２１は、第１主壁部１３ａのスリット１３ｇがある部分を外装ケース４の内方に凹入させて形成されている。従って、凹部２１は、支柱の長手方向に連なる第１主壁部１３ａ及び第１側壁部１３ｂで構成されて長手方向に分断されておらず、他の第２〜第４支柱１４〜１６も同様なので、主壁部と側壁部により各支柱の凹部における強度を確保して外装ケース４の強度低下を抑えることができる。
【００４０】
第１支柱１３は、さらに第１主壁部１３ａの短手方向他端部にもその長手方向にわたって外装ケース４の内方に向かって延びる第２側壁部１３ｃを有する。凹部２１は、第１主壁部１３ａと第１，第２側壁部１３ｂ，１３ｃが形成する１対の角部において凸部２０に対応する部位に長手方向に延びる１対のスリット１３ｇ，１３ｈを有し、第１主壁部１３ａの１対のスリット１３ｇ，１３ｈの間の部分を外装ケース４の内方に凹入させて形成されている。従って、凹部２１は、支柱の長手方向に連なる第１主壁部１３ａ及び第１，第２側壁部１３ｂ，１３ｃで構成されて長手方向に分断されておらず、他の第２〜第４支柱１４〜１６も同様なので、主壁部と１対の側壁部により各支柱の凹部における強度を確保して外装ケース４の強度低下を抑えることができる。
【００４１】
スリット１３ｇは、台形状に形成されて長手方向に夫々平行な１対の底を夫々有し、第１主壁部１３ａ側の底Ｓ１が第１側壁部１３ｂ側の底Ｓ２よりも長く形成されている。スリット１３ｈも同様に台形状に形成されて、第１主壁部１３ａ側の底Ｓ３が第２側壁部１３ｃ側の底Ｓ４よりも長く形成されている。従って、凹入による屈曲を緩やかにした第１主壁部１３ａとその短手方向一端部の第１側壁部１３ｂにより、又は第１主壁部１３ａとその短手方向両端部の第１，第２側壁部１３ｂ，１３ｃにより第１支柱１３の各凹部２１における強度を確保し、第２〜第４支柱１４〜１６も同様なので、外装ケース４の強度低下を抑えることができる。
【００４２】
フレーム部材５を構成する複数の桟についても同様に、外装パネル部材が当接する主壁部とその短手方向一端部の側壁部又は短手方向両端部の１対の側壁部を有するように形成して凹部を設けることにより、外装パネル部材の凹入を許容することができると共に、外装ケースの強度低下を抑えることができる。その他、当業者であれば、本発明の趣旨を逸脱することなく、上記実施形態に種々の変更を付加した形態で実施可能であり、本発明はそのような変更形態を包含するものである。
【符号の説明】
【００４３】
１      ：貯湯給湯装置
２      ：貯湯タンク
３      ：補助熱源機（補機類）
４      ：外装ケース
５      ：フレーム部材
８ａ    ：左上段パネル（外装板）
８ｂ    ：左下段パネル（外装板）
１１，１２    ：第１，第２ベース部材（桟）
１３〜１６    ：第１〜第４支柱（支柱）
１３ａ，１４ａ  ：第１主壁部（主壁部）
１３ｂ，１３ｃ，１４ｂ，１４ｃ  ：第２，第３側壁部（側壁部）
１３ｆ，１３ｇ  ：スリット
１７ａ〜１７ｇ  ：桟
２０    ：凸部
２１    ：凹部
２３    ：桟
２３ａ  ：主壁部
２３ｂ，２３ｃ  ：側壁部（１対の側壁部）
２４    ：凹部
Ｓ１〜Ｓ４  ：底
【図１】
2020101348.tif 000003
【図２】
2020101348.tif 000004
【図３】
2020101348.tif 000005
【図４】
2020101348.tif 000006
【図５】
2020101348.tif 000007
【図６】
2020101348.tif 000008
【図７】
2020101348.tif 000009